【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
薬剤師が処方せんと関連する情報を利用していかに調剤するかを計画をする調剤設計業務の支援の目的で調剤設計に必要な情報を入出力する入出力装置、医薬品情報データベース、医師情報データベース、患者情報データベース、在庫情報データベースから構成され、
Ａ：患者検索確定手段
Ｂ：患者情報参照手段
Ｃ：未登録所定事項登録手段
Ｄ：調剤設計所定事項入力手段
Ｅ：医薬品情報検索手段の各手段
を有することを特徴とする薬局システム。
【請求項２】
前記Ａ：患者検索確定手段は、患者情報データベースを参照して既登録患者であるかどうか判別し既登録患者であれば前記患者を選択確定し前記患者データを呼び出し、既登録患者ではない場合には所定事項の入力画面を直接呼び出すことが可能であることを特徴とするある特許請求範囲第１項記載の薬局システム 。
【請求項３】
前記Ａ：患者検索確定手段は、患者名（漢字、英字、カタカナ）、患者名の別名、保険番号、患者の生年月日、性別、患者の電話番号、患者の住所から選ばれた少なくとも１つを入力することにより必要な患者のデータを呼び出すことが可能であることを特徴とする特許請求範囲第２項記載の薬局システム 。
【請求項４】
前記Ａ：患者検索確定手段は、前記患者名（漢字、英字、カタカナ）、患者名の別名、保険番号、患者の生年月日、性別、患者の電話番号、患者の住所から選ばれた１以上の事項を入力することにより、対象となる患者データがリストボックスに表示されることを特徴とする特許請求範囲第３項記載の薬局システム 。
【請求項５】
前記Ａ：患者検索確定手段は、前記患者名（漢字、英字、カタカナ）、患者名の別名、保険番号、患者の生年月日、性別、患者の電話番号、患者の住所から選ばれた２以上の事項を入力し、それぞれの事項のＡＮＤをとることにより検索条件を絞り込んだ結果がリストボックスに表示されることを特徴とする特許請求範囲第３項記載の薬局システム 。
【請求項６】
前記患者が既登録でない場合の前記所定事項は保険給付割合、保険番号、保険記号、扶養者・非扶養者の別、患者名（漢字、英字、カタカナ）、患者名の別名、保険番号、患者の生年月日、性別、患者の電話番号、患者の住所から選ばれた少なくとも１つの事項であることを特徴とする特許請求範囲第４項記載の薬局システム 。
【請求項７】
前記所定事項はリストボックスに表示されることを特徴とする特許請求範囲第６項記載の薬局システム 。
【請求項８】
前記患者情報参照手段における患者情報は薬剤服用歴情報、患者固有情報、薬剤服用歴管理指導内容情報から選ばれた少なくとも１つの情報であることを特徴とする特許請求範囲第１項記載の薬局システム 。
【請求項９】
前記薬剤服用歴情報は日付と薬剤の種類の２次元マトリックス画面により表示され最新の日付から所定の回数さかのぼった日付までのデータを患者データベースより読み出し表示することを特徴とする特許請求範囲第８項記載の薬局システム 。
【請求項１０】
前記所定回数の日付以前の薬剤服用歴情報はキー入力することによりスクロールによりさかのぼって表示することを特徴とする特許請求範囲第９項記載の薬局システム 。
【請求項１１】
前記薬剤服用歴情報の2次元マトリックスにおいては必要な部分を選択することにより前記薬剤服用歴の詳細情報すなわち選択した過去の調剤設計情報が表示されまた必要に応じて新規調剤設計に転写し利用することを特徴とする特許請求範囲第９項記載の薬局システム 。
【請求項１２】
前記患者の固有情報は保険給付割合、保険番号、保険記号、扶養者・非扶養者の別、患者名（漢字、英字、カタカナ）、患者名の別名、保険番号、患者の生年月日、性別、患者の電話番号、患者の住所から選ばれた少なくとも１つであることを特徴とする特許請求範囲第８項記載の薬局システム 。
【請求項１３】
前記未登録所定事項は医師名、医療機関、科名から選ばれた少なくとも１つの処方医関連事項であることを特徴とする特許請求範囲第１項記載の薬局システム 。
【請求項１４】
前記未登録所定事項は薬品名、剤型、厚生省コード、成分名、薬品名（よみ）、メーカー、薬価、薬価収載を含みさらに薬品名（英）、薬品名（よみ）、薬品の包装状態、使用状態、使用状態歴、包装量、力価、最長投与日数、予製剤、含有成分、用法、注意、別名から選ばれた少なくとも１つの薬品関連事項であることを特徴とする特許請求範囲第１項記載の薬局システム 。
【請求項１５】
前記未登録所定事項は薬局名、薬品名、バーコード、剤型、力価、包装、容量、メーカー、問屋発注入庫、現在庫量、発注量、発注点（発注をかけるための最低数量）、保存場所、最終引き落とし日、発注予定、発注中（発注中かどうかを示す）、メモから選ばれた少なくとも１つの在庫関連事項であることを特徴とする特許請求範囲第１項記載の薬局システム 。
【請求項１６】
前記未登録所定事項入力手段は各画面においてカーソルの位置を常に認識しており前記カーソルの存在するフィールドにより前記フィールドに対応するリストがデータベースに存在する場合には前記リストをデータベースより呼び出しリストボックスに表示するリストボックス表示手段、前記リストボックスより必要事項を選択する選択手段を有することを特徴とする特許請求範囲第１項記載の薬局システム 。
【請求項１７】
前記調剤設計所定事項は患者名、患者生年月日、患者住所、患者電話番号、処方発行日、受付日、受付時間、処方医師名、処方医療機関名、科名、保険記号、保険番号、支払い方法、受渡日、患者情報提供内容、情報用紙作成の有無、薬品名、剤型、力価、包装状態、包装単位、薬品単位、薬品量、用法、日数から選ばれた少なくとも１つのフィールドであることを特徴とする特許請求範囲第１項記載の薬局システム 。
【請求項１８】
前記調剤設計所定事項入力手段は各画面においてカーソルの位置を常に認識しており前記カーソルの存在するフィールドにより前記フィールドに対応するリストがデータベースに存在する場合には前記リストをデータベースより呼び出しリストボックスに表示するリストボックス表示手段、前記リストボックスより必要事項を選択する選択手段を有することを特徴とする特許請求範囲第１項記載の薬局システム 。
【請求項１９】
請求項１６もしくは請求項１８に記載のリストボックス表示手段において、前記フィールドへのキー入力を検出すると、該キー入力に対応するリストを出力することを特徴とする薬局システム。
【請求項２０】
前記医薬品情報検索手段は薬品名、剤型、厚生省コード、局方名、薬品名（英）、薬品名（よみ）、メーカー、薬品の包装状態、薬価、使用状態、使用状態歴、包装量、力価、薬価収載、最長投与日数、予製剤、含有成分、用法、注意、別名から選ばれた少なくとも１つを入力することにより医薬品情報データベースから呼び出し表示する表示手段を有することを特徴とする特許請求範囲第１項記載の薬局システム 。
【請求項２１】
前記調剤設計必要情報を入出力するＧＵＩ画面における入出力する装置においてキーボード及び画面から構成され、必要項目が含まれた画面への変更はポインティングデバイスを使わずキーイベントドリブン処理手段により必要なフィールドに自在にカーソルを移動させるカーソル移動手段を有することを特徴とする特許請求範囲第１項記載の薬局システム 。
【請求項２２】
前記システムにおいては在庫情報データベースを有し医薬品を選択したら前記在庫情報データベースを参照し在庫情報を表示することを特徴とする特許請求範囲第１項記載の薬局システム 。
【請求項２３】
前記調剤設計必要情報を入出力する入出力装置の各フィールドはキー入力を検出して常に該キー入力による文字列がフィールド内容確定子を構成するかどうかを認識する機能をもつフィールドであり、予め使用頻度の高い調剤設計必要情報を情報テキストとして登録し、任意のフィールドにおいてフィールド内容確定子の入力が認識されると前記情報テキストの一覧を呼び出し、該一覧から必要な情報テキストを選択することにより前記登録してある情報テキストの必要な部分をコピーし入力することができることを特徴とする特許請求範囲第１項記載の薬局システム。
【請求項２４】
前記フィールド内容確定子にマッチする情報テキストを呼び出すインデックスファイルは階層構造をしており、該インデックスファイルに格納されたインデックスの順番に情報テキストを一覧として出力することを特徴とする特許請求範囲第２３項記載の薬局システム 。
【請求項２５】
必要情報を入出力する端末、患者情報データベース、から構成され、薬剤師が処方せんと関連する情報を利用していかに調剤するかを計画をする調剤設計業務の支援のシステムにおける調剤設計画面において、患者を選択し、所定キー操作をすることによりキーイベントドリブンによって該当患者の薬剤服用歴表示画面を直接表示する薬剤服用歴表示手段あるいは特定条件服用歴選択画面を表示する選択画面表示手段及び前記薬剤服用歴選択画面により必要事項を選択する選択手段、前記選択手段により選択された所定薬剤服用歴を表示する所定薬剤服用歴表示手段を有することを特徴とする薬局システム 。
【請求項２６】
前記薬剤服用歴情報は日付と薬剤の種類の２次元マトリックス画面により表示することを特徴とする特許請求範囲第２５項記載の薬局システム 。
【請求項２７】
前記２次元マトリックス表示は１画面に表示できる情報のみを患者情報データベースから読み出し表示することを特徴とする特許請求範囲第２６項記載の薬局システム 。
【請求項２８】
前記薬歴情報は最新の日付から所定の回数を読み出し表示する特許請求範囲第２７項記載の薬局システム 。
【請求項２９】
前記所定回数以前の薬剤服用歴情報は所定キー入力することにより表示しスクロールしさかのぼって参照できることを特徴とする特許請求範囲第２８項記載の薬局システム 。
【請求項３０】
前記薬剤服用歴情報のマトリックスにおいては必要な部分を選択することにより前記薬剤服用歴の詳細情報すなわち選択した過去の調剤設計情報が表示されることを特徴とする特許請求範囲第２６項記載の薬局システム 。
【請求項３１】
前記特定条件服用歴選択画面における選択フィールドは医師名、医療機関名、診療科目名、薬品名、薬品グループ名、日付から選ばれた少なくとも１つのフィールドであり、該フィールドに事項を入力し、それぞれの事項のＡＮＤをとることにより絞り込んだ結果をリストボックスに表示し、前記リストボックスの内容から選択入力するかあるいは直接入力あるいは調剤設計画面で既に入力されているフィールドをコピーし入力するコピー入力手段を有することを特徴とする特許請求範囲第２５項記載の薬局システム 。
【請求項３２】
前記選択する所定薬剤服用歴は所定医療機関別調剤設計情報、診療科目別調剤設計情報、薬品別調剤設計情報、薬品グループ別調剤設計情報、所定期間の調剤設計情報から選ばれた情報であることを特徴とする特許請求範囲第３１項記載の薬局システム 。
【請求項３３】
薬剤師が処方せんと関連する情報を利用していかに調剤するかを計画をする調剤設計業務の支援の目的で所定の患者に対応した所定事項を入力する入力部あるいは患者と対面において前記患者との対面記録を入力する入力部おいては、各フィールドにおいて予め使用頻度の高いテキスト情報を登録しておき任意の画面においてフィールドの内容を絞り込むフィールド内容確定子を入力するフィールド内容確定子入力手段、前記入力されたフィールド内容確定子によって必要な前記フィールドに対応した登録してあるテキスト情報一覧を呼び出すテキスト情報一覧呼び出し手段、前記テキスト情報一覧を所定の位置のリストボックス内に表示する表示制御手段、前記テキスト情報一覧の中から必要な情報テキスト選択する情報テキスト選択手段、前記情報テキストの必要な部分を転写し所定の部分に入力する入力手段を有することを特徴とする薬局システム 。
【請求項３４】
前記前記入力されたフィールド内容確定子によって必要な前記フィールドに対応した登録してあるテキスト情報一覧を呼び出すテキスト情報一覧呼び出し手段、ことを特徴とする特許請求範囲第３３項記載の薬局システム 。
【請求項３５】
前記内容確定子として予めテキスト情報に対応して設定された任意の語句を登録し、前記登録された語句をリストボックスより選択するあるいは入力することによって決定されることを特徴とする特許請求範囲第３３項記載の薬局システム 。
【請求項３６】
前記テキスト情報は任意に登録することが可能であることを特徴とする特許請求範囲第３３項記載の薬局システム 。